(57)【要約】【課題】比較的短い時間で、通信機と複数の外部機器とを無線通信可能な状態にすることができる通信機を提供する。【解決手段】動きパターン照合部101aは、近距離無線通信部１０２が、第１の外部機器（生体センサ２００）より受信した動き情報が示す動きパターンと、複数の第２の外部機器（カメラ２５０）より受信した動き情報が示す動きパターンとを照合した結果に基づいて、特定の第２の外部機器を選択する。制御部１０１は、不揮発性メモリ１０６に、第１の外部機器と特定の第２の外部機器それぞれと近距離無線通信によって通信するためのペアリング情報Ｉｐ１，Ｉｐ２を保持させる。【選択図】図５
2016201750.tif 000002
【特許請求の範囲】
【請求項１】
外部機器と近距離無線通信によって通信し、前記外部機器より所定の情報を受信する近距離無線通信部と、
前記近距離無線通信部が複数の第１の外部機器のうちの選択された第１の外部機器より受信した動き情報が示す動きパターンと、前記近距離無線通信部が複数の第２の外部機器より受信した前記複数の第２の外部機器の動き情報が示す動きパターンとを照合した結果に基づいて、前記複数の第２の外部機器より特定の第２の外部機器を選択する動きパターン照合部と、
不揮発性メモリに、前記近距離無線通信部が前記選択された第１の外部機器と前記特定の第２の外部機器それぞれと近距離無線通信によって通信するためのペアリング情報を保持させる制御部と、
を備えることを特徴とする通信機。
【請求項２】
前記通信機を使用するユーザに割り振られているユーザＩＤと前記複数の第１の外部機器それぞれに割り振られている機器ＩＤとの対応関係を示す対応表を記憶する記憶部と、
ユーザＩＤを入力する操作部と、
をさらに備え、
前記近距離無線通信部は、前記ユーザが前記操作部によって入力したユーザＩＤに対応する機器ＩＤを有する第１の外部機器を前記選択された第１の外部機器として通信する
ことを特徴とする請求項１記載の通信機。
【請求項３】
外部機器と近距離無線通信によって通信し、前記外部機器より所定の情報を受信する近距離無線通信部を備える通信機であり、
前記通信機の動きパターンと、前記近距離無線通信部が複数の第１の外部機器より受信した前記複数の第１の外部機器それぞれの動き情報が示す動きパターンと、前記近距離無線通信部が複数の第２の外部機器より受信した前記複数の第２の外部機器それぞれの動き情報が示す動きパターンとを照合して、前記複数の第１の外部機器のうち、前記通信機の動きパターンと最も近い動きパターンの第１の外部機器を選択し、前記複数の第２の外部機器のうち、前記通信機の動きパターンと最も近い動きパターンの第２の外部機器を選択する動きパターン照合部と、
不揮発性メモリに、前記近距離無線通信部が、選択された第１の外部機器と選択された第２の外部機器それぞれと近距離無線通信によって通信するためのペアリング情報を保持させる制御部と、
を備えることを特徴とする通信機。
【請求項４】
前記第１の外部機器は、人の生体情報を検出し、前記生体情報を前記所定の情報として前記近距離無線通信部へと送信する生体センサであり、
前記第２の外部機器は、撮像部によって撮像した撮像情報を前記所定の情報として前記近距離無線通信部へと送信するカメラである
ことを特徴とする請求項１〜３のいずれか１項に記載の通信機。
【請求項５】
近距離無線通信部が第１の外部機器と近距離無線通信によって通信するためペアリングを実行し、
不揮発性メモリに、ペアリングの実行によって得られた前記近距離無線通信部と前記第１の外部機器とのペアリング情報を保持させ、
前記近距離無線通信部が前記第１の外部機器より受信した動き情報が示す動きパターンと、前記近距離無線通信部が複数の第２の外部機器より受信した前記複数の第２の外部機器の動き情報が示す動きパターンとを照合し、
前記複数の第２の外部機器のうち、前記第１の外部機器の動きパターンと最も近い動きパターンの第２の外部機器を選択し、
不揮発性メモリに、ペアリングの実行によって得られた前記近距離無線通信部と選択された前記第２の外部機器とのペアリング情報を保持させる
ことを特徴とするペアリング方法。
【請求項６】
通信機の動きパターンと、近距離無線通信部が複数の第１の外部機器より受信した前記複数の第１の外部機器それぞれの動き情報が示す動きパターンと、前記近距離無線通信部が複数の第２の外部機器より受信した前記複数の第２の外部機器それぞれの動き情報が示す動きパターンとを照合し、
前記複数の第１の外部機器のうち、前記通信機の動きパターンと最も近い動きパターンの第１の外部機器を選択し、
記複数の第２の外部機器のうち、前記通信機の動きパターンと最も近い動きパターンの第２の外部機器を選択し、
不揮発性メモリに、前記近距離無線通信部が、選択された第１の外部機器と選択された第２の外部機器それぞれと近距離無線通信によって通信するためのペアリング情報を保持させる
ことを特徴とするペアリング方法。
【発明の詳細な説明】
【技術分野】
【０００１】
本発明は、外部機器から所定の情報を受信する通信機、及び、通信機が外部機器とペアリングするためのペアリング方法に関する。
【背景技術】
【０００２】
一例として消防士が消火活動を行う際に、消防士が置かれている状況を的確に把握するために、消防士が外部機器を装着し、消防士が所持している通信機によって外部機器が取得する所定の情報を管理装置に送信することが考えられる。
【先行技術文献】
【特許文献】
【０００３】
【特許文献１】特開２０００−１１２５５８号公報
【発明の概要】
【発明が解決しようとする課題】
【０００４】
消防士が、外部機器として、例えば、消防士の身体的な状況を把握するための生体センサと、火災現場を撮像するためのカメラとを装着するとする。通信機は、２つの外部機器それぞれと無線にて通信するためにペアリングして、２つの外部機器からの情報を無線で受信するのがよい。
【０００５】
通信機と複数の外部機器とをペアリングさせるには、所定の時間を要する。火災現場に出動しなければならない状況で、通信機と複数の外部機器とを無線通信可能な状態にするために必要な時間を極力短くすることが求められる。
【０００６】
本発明は、比較的短い時間で、通信機と複数の外部機器とを無線通信可能な状態にすることができる通信機及びペアリング方法を提供することを目的とする。
【課題を解決するための手段】
【０００７】
本発明は、上述した従来の技術の課題を解決するため、外部機器と近距離無線通信によって通信し、前記外部機器より所定の情報を受信する近距離無線通信部と、前記近距離無線通信部が複数の第１の外部機器のうちの選択された第１の外部機器より受信した動き情報が示す動きパターンと、前記近距離無線通信部が複数の第２の外部機器より受信した前記複数の第２の外部機器の動き情報が示す動きパターンとを照合した結果に基づいて、前記複数の第２の外部機器より特定の第２の外部機器を選択する動きパターン照合部と、不揮発性メモリに、前記近距離無線通信部が前記選択された第１の外部機器と前記特定の第２の外部機器それぞれと近距離無線通信によって通信するためのペアリング情報を保持させる制御部とを備えることを特徴とする通信機を提供する。
【０００８】
本発明は、上述した従来の技術の課題を解決するため、外部機器と近距離無線通信によって通信し、前記外部機器より所定の情報を受信する近距離無線通信部を備える通信機であり、前記通信機の動きパターンと、前記近距離無線通信部が複数の第１の外部機器より受信した前記複数の第１の外部機器それぞれの動き情報が示す動きパターンと、前記近距離無線通信部が複数の第２の外部機器より受信した前記複数の第２の外部機器それぞれの動き情報が示す動きパターンとを照合して、前記複数の第１の外部機器のうち、前記通信機の動きパターンと最も近い動きパターンの第１の外部機器を選択し、前記複数の第２の外部機器のうち、前記通信機の動きパターンと最も近い動きパターンの第２の外部機器を選択する動きパターン照合部と、不揮発性メモリに、前記近距離無線通信部が、選択された第１の外部機器と選択された第２の外部機器それぞれと近距離無線通信によって通信するためのペアリング情報を保持させる制御部とを備えることを特徴とする通信機を提供する。
【０００９】
本発明は、上述した従来の技術の課題を解決するため、近距離無線通信部が第１の外部機器と近距離無線通信によって通信するためペアリングを実行し、不揮発性メモリに、ペアリングの実行によって得られた前記近距離無線通信部と前記第１の外部機器とのペアリング情報を保持させ、前記近距離無線通信部が前記第１の外部機器より受信した動き情報が示す動きパターンと、前記近距離無線通信部が複数の第２の外部機器より受信した前記複数の第２の外部機器の動き情報が示す動きパターンとを照合し、前記複数の第２の外部機器のうち、前記第１の外部機器の動きパターンと最も近い動きパターンの第２の外部機器を選択し、不揮発性メモリに、ペアリングの実行によって得られた前記近距離無線通信部と選択された前記第２の外部機器とのペアリング情報を保持させることを特徴とするペアリング方法を提供する。
【００１０】
本発明は、上述した従来の技術の課題を解決するため、通信機の動きパターンと、近距離無線通信部が複数の第１の外部機器より受信した前記複数の第１の外部機器それぞれの動き情報が示す動きパターンと、前記近距離無線通信部が複数の第２の外部機器より受信した前記複数の第２の外部機器それぞれの動き情報が示す動きパターンとを照合し、前記複数の第１の外部機器のうち、前記通信機の動きパターンと最も近い動きパターンの第１の外部機器を選択し、記複数の第２の外部機器のうち、前記通信機の動きパターンと最も近い動きパターンの第２の外部機器を選択し、不揮発性メモリに、前記近距離無線通信部が、選択された第１の外部機器と選択された第２の外部機器それぞれと近距離無線通信によって通信するためのペアリング情報を保持させることを特徴とするペアリング方法を提供する。
【発明の効果】
【００１１】
本発明の通信機及びペアリング方法によれば、比較的短い時間で、通信機と複数の外部機器とを無線通信可能な状態にすることができる。
【図面の簡単な説明】
【００１２】
【図１】各実施形態の通信機を示すブロック図である。
【図２】複数の消防士それぞれが生体センサ及びカメラを装着し、通信機を所持している状態を概念的に示す図である。
【図３】第１実施形態の通信機が選択された生体センサとペアリングしている状態を示すブロック図である。
【図４】第１実施形態の通信機が複数のカメラのうちの特定のカメラを選択してペアリングする過程を説明するためのブロック図である。
【図５】第１実施形態の通信機が生体センサ及び特定のカメラとペアリングしている状態を示すブロック図である。
【図６】多連充電器によって複数の通信機を充電している状態を示す斜視図である。
【図７】第２実施形態の通信機が、複数の生体センサのうちの特定の生体センサを選択し、複数のカメラのうちの特定のカメラを選択してペアリングする過程を説明するためのブロック図である。
【図８】第２実施形態の通信機が特定の生体センサ及び特定のカメラとペアリングしている状態を示すブロック図である。
【図９】第１実施形態の通信機の動作及び第１実施形態のペアリング方法を示すフローチャートである。
【図１０】第２実施形態の通信機の動作及び第２実施形態のペアリング方法を示すフローチャートである。
【発明を実施するための形態】
【００１３】
以下、各実施形態の通信機及びペアリング方法について、添付図面を参照して説明する。本実施形態においては、作業者が消防士である場合を例とする。作業者は、消防士に限定されず、他の災害救助員や水難救助員であってもよい。
【００１４】
まず、図２を用いて、消防士がどのような状態で消火活動を行うかについて説明する。図２において、消防士ＦＦａ，ＦＦｂ，ＦＦｃは、それぞれ、通信機１００を所持している。
【００１５】
消防士ＦＦａ，ＦＦｂ，ＦＦｃにはそれぞれユーザＩＤが割り振られている。消防士ＦＦａのユーザＩＤはFF001、消防士ＦＦｂのユーザＩＤはFF002、消防士ＦＦｃのユーザＩＤはFF003であるとする。
【００１６】
通信機１００は、半二重通信方式を用いて音声またはデータを送受信する無線機であってもよいし、全二重通信方式を用いて音声またはデータを送受信する携帯電話であってもよい。本実施形態においては、通信機１００はスマートフォンであるとする。
【００１７】
消防士ＦＦａ〜ＦＦｃのいずれかを特定しない消防士または消防士ＦＦａ〜ＦＦｃの総称を消防士ＦＦとする。ここでは消防士ＦＦを３人としているが、消防士ＦＦの人数は複数であればよい。
【００１８】
消防士ＦＦには交代勤務があることから、図２に示す消防士ＦＦを含む全ての消防士それぞれに通信機１００が割り当てられていない。消防士ＦＦは、共用の複数の通信機１００からいずれかを選択して使用する。よって、一人の消防士ＦＦが使用する通信機１００は固定されない。
【００１９】
また、消防士ＦＦは、それぞれ、例えば腕に生体センサ２００を装着しており、ヘルメットにカメラ２５０を装着している。
【００２０】
生体センサ２００は、心拍数や脈拍数のような生体情報を検出する検出装置である。生体センサ２００の装着場所は腕に限定されない。生体センサ２００が検出する生体情報は心拍数や脈拍数に限定されず、体温等の他の生体情報であってもよい。
【００２１】
生体センサ２００は消防士の肌に密着して使用されることから、全ての消防士ＦＦそれぞれに生体センサ２００が割り当てられている。即ち、生体センサ２００は、各消防士ＦＦ専用のものである。
【００２２】
生体センサ２００には、個々の生体センサ２００を特定するためのセンサＩＤが割り振られている。消防士ＦＦａが装着している生体センサ２００のセンサＩＤはS001、消防士ＦＦｂが装着している生体センサ２００のセンサＩＤはS002、消防士ＦＦｃが装着している生体センサ２００のセンサＩＤはS003であるとする。
【００２３】
通信機１００と同様に、全ての消防士ＦＦそれぞれにカメラ２５０が割り当てられていない。消防士ＦＦは、共用の複数のカメラ２５０からいずれかを選択して使用する。よって、一人の消防士ＦＦが使用するカメラ２５０は固定されない。
【００２４】
消防士ＦＦが出動する際には、消防士ＦＦは、個人の生体センサ２００を装着し、複数の通信機１００よりいずれかの通信機１００を選択して保持し、複数のカメラ２５０よりいずれかのカメラ２５０を選択して装着する。
【００２５】
通信機１００、生体センサ２００、カメラ２５０はそれぞれ近距離無線通信機能を有する。近距離無線通信機能とは、例えば、ブルートゥース（登録商標）、無線ＬＡＮ、ＮＦＣ（Near Field Communication）等の任意の規格の通信方式を用いた無線通信機能である。
【００２６】
消防士ＦＦが消火活動をする際には、通信機１００と生体センサ２００及びカメラ２５０とがペアリングされる。生体センサ２００は、近距離無線通信機能を用いて、生体センサ２００が検出した生体情報を通信機１００に送信する。カメラ２５０は、近距離無線通信機能を用いて、カメラ２５０が撮像した撮像情報（画像情報）を通信機１００に送信する。一点鎖線で示す両矢印線は、近距離無線通信を示す。
【００２７】
次に、図１を用いて、通信機１００の具体的な構成及び動作を説明する。
【００２８】
図１において、通信機１００は、通信機１００の全体を制御する制御部１０１を備える。制御部１０１は、マイクロコンピュータまたはマイクロプロセッサであってもよい。制御部１０１には、近距離無線通信部１０２，送受信部１０４，不揮発性メモリ１０６，表示部１０７，操作部１０８，マイクロホン１０９，スピーカ１１０，記憶部１１４，動きセンサ１１５が接続されている。
【００２９】
動きセンサ１１５は、例えば加速度センサや角速度センサ（ジャイロセンサ）である。加速度センサと角速度センサとが組み合わされていてもよく、動きセンサ１１５の構成は任意である。後述する動きセンサ２０４と動きセンサ２５４も同様である。
【００３０】
制御部１０１とマイクロホン１０９との間に、Ａ／Ｄ変換器が設けられていてもよい。制御部１０１とスピーカ１１０との間に、Ｄ／Ａ変換器が設けられていてもよい。
【００３１】
近距離無線通信部１０２は、アンテナ１０３を介して、外部機器と近距離無線通信する。送受信部１０４は、制御部１０１による制御に基づき、アンテナ１０５及び外部の基地局を介して、外部機器から取得した情報を後述する管理装置に送信する。
【００３２】
制御部１０１は、不揮発性メモリ１０６に、通信機１００と外部機器とのペアリング情報を保持させる。
【００３３】
表示部１０７は例えば液晶パネルであり、制御部１０１による制御に基づいて、所定の情報を表示させることができる。操作部１０８は、表示部１０７に装着されたタッチパネルであってもよい。
【００３４】
消防士ＦＦが音声を送信するときには、マイクロホン１０９は消防士ＦＦが発した音声を収音する。図示していないＡ／Ｄ変換器は音声信号をＡ／Ｄ変換して、音声データを制御部１０１に供給する。送受信部１０４は、音声データを送信する。
【００３５】
送受信部１０４が音声データを受信したら、音声データは制御部１０１を介して図示していないＤ／Ａ変換器に入力されてＤ／Ａ変換され、スピーカ１１０は音声信号に基づく音声を出力させる。
【００３６】
なお、送受信部１０４は、変調回路及び復調回路を有する。制御部１０１は、コーデックを有する。コーデックは、制御部１０１の外部に設けられていてもよい。
【００３７】
制御部１０１は、動きパターン照合部101aを有する。記憶部１１４には、消防士ＦＦのユーザＩＤと、それぞれの消防士ＦＦが装着している生体センサ２００のセンサＩＤ（機器ＩＤ）とを対応関係を示す対応表を記憶している。
【００３８】
次に、通信機１００と生体センサ２００及びカメラ２５０とをペアリングするための具体的な方法を第１実施形態及び第２実施形態として説明する。ここでは、図２に示す消防士ＦＦａが通信機１００と生体センサ２００及びカメラ２５０とをペアリングする場合を例とする。
【００３９】
＜第１実施形態＞
図３において、消防士ＦＦａは、操作部１０８を操作して自分のユーザＩＤと予め設定されているパスワードを入力する。パスワードの入力を省略してもよい。制御部１０１に消防士ＦＦａのユーザＩＤが供給されることによって、制御部１０１は消防士ＦＦａを認証する。
【００４０】
制御部１０１は、記憶部１１４に記憶されている対応表に基づき、消防士ＦＦａが装着している生体センサ２００のセンサＩＤを取得する。消防士ＦＦａのユーザＩＤがFF001であるので、消防士ＦＦａが装着している生体センサ２００のセンサＩＤはS001であると特定することができる。
【００４１】
図３に示すように、生体センサ２００は、近距離無線通信部２０１，アンテナ２０２，記憶部２０３，動きセンサ２０４を備える。記憶部２０３は、生体センサ２００それぞれのセンサＩＤを記憶している。図３では簡略化のため、センサＩＤがS002，S003である生体センサ２００は、内部構成の図示を簡略化している。
【００４２】
通信機１００は、通信可能な複数の生体センサ２００の中から、センサＩＤがS001である生体センサ２００とペアリングを実行して、近距離無線通信を開始する。
【００４３】
通信機１００と生体センサ２００は共通の暗証番号によって相手を認証する。ペアリングに必要な情報をペアリング情報と称する。制御部１０１は、不揮発性メモリ１０６に、通信機１００と生体センサ２００とのペアリング情報Ｉｐ１を保持させる。
【００４４】
これによって、生体センサ２００は、検出した消防士ＦＦａの生体情報を、近距離無線通信によって近距離無線通信部１０２へと送信することができる。動きセンサ２０４が生体センサ２００の動きを検出したとき、近距離無線通信部２０１は動き情報を近距離無線通信部１０２に送信するように構成されている。
【００４５】
通信機１００と生体センサ２００とのペアリングが完了した状態で、通信機１００の周囲には、図４に示すように、通信可能な複数のカメラ２５０が存在しているとする。破線で示す両矢印線は、ペアリングしていない状態での近距離無線通信を示す。
【００４６】
図５に示すように、カメラ２５０は、近距離無線通信部２５１，アンテナ２５２，撮像部２５３，動きセンサ２５４を備える。近距離無線通信部２５１は、撮像部２５３による撮像情報をアンテナ２５２より送信する。動きセンサ２５４がカメラ２５０の動きを検出したとき、近距離無線通信部２５１は動き情報を送信するように構成されている。
【００４７】
消防士ＦＦａは、生体センサ２００とカメラ２５０とにほぼ同じ動きを与える。例えば、消防士ＦＦａは体を上下動させる。すると、生体センサ２００及びカメラ２５０にはほぼ同じ上下動の動きが与えられる。
【００４８】
それぞれの消防士ＦＦに固有の動きを与えておけばよい。消防士ＦＦが生体センサ２００及びカメラ２５０を装着せず、生体センサ２００及びカメラ２５０を手で持って一緒に動かしてもよい。
【００４９】
生体センサ２００及びカメラ２５０を動かすと、近距離無線通信部１０２は生体センサ２００の動きセンサ２０４からの動き情報を受信して、制御部１０１に供給する。制御部１０１は、動きセンサ２０４からの動き情報を記憶部１１４または他の記憶部に一時的に記憶させてもよい。
【００５０】
また、近距離無線通信部１０２は、カメラ２５０の動きセンサ２５４からの動き情報を受信して、制御部１０１に供給する。制御部１０１は、動きセンサ２５４からの動き情報を記憶部１１４または他の記憶部に一時的に記憶させてもよい。
【００５１】
図４に示す消防士ＦＦａ以外の他の消防士ＦＦが装着しているカメラ２５０が動かされれば、同様に、近距離無線通信部１０２は、他の消防士ＦＦのカメラ２５０からの動き情報を受信して、制御部１０１に供給する。
【００５２】
図５において、動きパターン照合部101aは、生体センサ２００からの動き情報が示す動きパターンと、複数のカメラ２５０からの動き情報が示す動きパターンとを照合する。動きパターン照合部101aは、生体センサ２００の動きパターンと最も近い動きパターンの動き情報を出力しているカメラ２５０を選択する。
【００５３】
ところで、通信機１００は、マルチペアリングの機能、及び、マルチポイントの機能を有する。
【００５４】
マルチペアリングとは、ペアリング情報を複数保持する機能である。マルチペアリングにより、複数の外部機器とペアリングすることが可能になる。マルチポイントとは、複数の外部機器と同時にペアリング状態を維持する機能である。マルチポイントにより、複数の外部機器と同時に通信することが可能になる。
【００５５】
よって、通信機１００は、同時に生体センサ２００及び１または複数のカメラ２５０と通信することができる。通信機１００が、時分割で生体センサ２００及びカメラ２５０と通信してもよい。
【００５６】
制御部１０１は、不揮発性メモリ１０６に、通信機１００と選択したカメラ２５０とのペアリング情報Ｉｐ２を保持させる。ここではペアリング情報Ｉｐ１とペアリング情報Ｉｐ２との双方を不揮発性メモリ１０６に保持させているが、別々の不揮発性メモリに保持させてもよい。
【００５７】
以上によって、図５に示すように、消防士ＦＦａは、所持している通信機１００と、装着している生体センサ２００とカメラ２５０との双方とを簡単にペアリングさせることができる。
【００５８】
第１実施形態の通信機及びペアリング方法によれば、比較的短い時間で、通信機１００と複数の外部機器（生体センサ２００及びカメラ２５０）とを無線通信可能な状態にすることができる。
【００５９】
近距離無線通信部１０２は、生体センサ２００から消防士ＦＦａの生体情報を受信し、カメラ２５０からカメラ２５０が撮像した撮像情報を受信する。
【００６０】
制御部１０１は、近距離無線通信部１０２が受信した生体情報や撮像情報を記憶部１１４または他の記憶部に記憶させてもよい。
【００６１】
図５に示すように、送受信部１０４は、制御部１０１による制御に基づき、アンテナ１０５及び外部の基地局４００を介して、生体情報や撮像情報を管理装置３００に送信する。
【００６２】
管理装置３００は、送受信部３０１とアンテナ３０２とを備える。管理装置３００は、それぞれの通信機１００より送信される各消防士ＦＦの生体情報や撮像情報を管理する。管理装置３００は、ホストコンピュータによって構成することができる。
【００６３】
＜第２実施形態＞
消防士ＦＦが出動を待機している状態では、通信機１００は、例えば図６に示すような多連充電器５００を用いて充電される。図６に示すように、多連充電器５００は、通信機１００を装着する凹状の装着部501a，501b，501c，501d，501eを有する。装着部501a〜501eには、それぞれ、通信機１００が装着されている。
【００６４】
通信機１００が多連充電器５００から取り外されると、制御部１０１は通信機１００を自動的に認証要求モードに移行させ、通信可能な外部機器との通信を開始するように構成されている。
【００６５】
図７に示すように、通信機１００は、複数の生体センサ２００と、複数のカメラ２５０と近距離無線通信可能な状態である。
【００６６】
消防士ＦＦａは、通信機１００と生体センサ２００とカメラ２５０とにほぼ同じ動きを与える。例えば、消防士ＦＦａは体を上下動させる。すると、通信機１００と生体センサ２００とカメラ２５０とにはほぼ同じ上下動の動きが与えられる。
【００６７】
動きパターン照合部101aは、動きセンサ１１５が検出する通信機１００の動きパターンと、複数の生体センサ２００からの動き情報が示す動きパターンと、複数のカメラ２５０からの動き情報が示す動きパターンとを照合する。
【００６８】
動きパターン照合部101aは、照合した結果に基づき、通信機１００の動きパターンと最も近い動きパターンの動き情報を出力している生体センサ２００及びカメラ２５０を選択する。
【００６９】
すると、図８に示すように、消防士ＦＦａが所持している通信機１００と、消防士ＦＦａが装着している生体センサ２００及びカメラ２５０とがペアリングされた状態とされる。なお、制御部１０１は消防士ＦＦａを自動的に認証する。
【００７０】
第２実施形態の通信機及びペアリング方法によれば、比較的短い時間で、通信機１００と複数の外部機器とを無線通信可能な状態にすることができる。
【００７１】
図９に示すフローチャートを用いて、第１実施形態の通信機の動作及び第１実施形態のペアリング方法を改めて説明する。図９は、通信機１００が消防士ＦＦを認証した時点以降の処理を示している。
【００７２】
図９において、制御部１０１は、ステップＳ１１にて、近距離無線通信部１０２が生体センサ２００（第１の外部機器）と近距離無線通信によって通信するためペアリングを実行する。
【００７３】
制御部１０１は、ステップＳ１２にて、不揮発性メモリ１０６に、ペアリングの実行によって得られた近距離無線通信部１０２と生体センサ２００とのペアリング情報Ｉｐ１を保持させる。
【００７４】
制御部１０１は、ステップＳ１３にて、近距離無線通信部１０２が生体センサ２００より受信した動き情報が示す動きパターンと、近距離無線通信部１０２が複数のカメラ２５０（第２の外部機器）より受信した動き情報が示す動きパターンとを照合する。
【００７５】
制御部１０１は、ステップＳ１４にて、照合した結果に基づき、複数のカメラ２５０のうち、生体センサ２００の動きパターンと最も近い動きパターンのカメラ２５０を選択する。
【００７６】
制御部１０１は、ステップＳ１５にて、不揮発性メモリ１０６に、ペアリングの実行によって得られた近距離無線通信部１０２と選択されたカメラ２５０とのペアリング情報を保持させる。
【００７７】
図１０に示すフローチャートを用いて、第２実施形態の通信機の動作及び第１実施形態のペアリング方法を改めて説明する。図１０は、消防士ＦＦが多連充電器５００より通信機１００取り外した時点以降の処理を示している。
【００７８】
制御部１０１は、ステップＳ２１にて、通信機１００の動きパターンと、近距離無線通信部１０２が複数の生体センサ２００より受信した動き情報が示す動きパターンと、近距離無線通信部１０２が複数のカメラ２５０より受信した動き情報が示す動きパターンとを照合する。
【００７９】
制御部１０１は、ステップＳ２２にて、照合した結果に基づき、複数の生体センサ２００のうち、通信機１００の動きパターンと最も近い動きパターンの生体センサ２００を選択する。
【００８０】
制御部１０１は、ステップＳ２３にて、照合した結果に基づき、複数のカメラ２５０のうち、通信機１００の動きパターンと最も近い動きパターンのカメラ２５０を選択する。ステップＳ２２とステップＳ２３の順番は逆であってもよいし、同時であってもよい。
【００８１】
制御部１０１は、ステップＳ２４にて、不揮発性メモリ１０６に、近距離無線通信部１０２が、選択された生体センサ２００と選択されたカメラ２５０それぞれと近距離無線通信によって通信するためのペアリング情報を保持させる。
【００８２】
本発明は以上説明した本実施形態に限定されるものではなく、本発明の要旨を逸脱しない範囲において種々変更可能である。
【００８３】
消防士ＦＦの認証を管理装置３００で行ってもよい。動きパターンの照合を管理装置３００で行ってもよい。この場合、管理装置３００は、認証結果や通信機１００と生体センサ２００との関連付けの結果、動きパターンの照合結果を、通信機１００に送信すればよい。
【００８４】
カメラ２５０の動きを、動きセンサ２５４の代わりに、撮像している画像の動きに基づいて検出してもよい。
【００８５】
通信機１００を構成するに際し、ハードウェアとソフトウェア（コンピュータプログラム）との使い分けは任意である。
【符号の説明】
【００８６】
１００  通信機
１０１  制御部
101a  動きパターン照合部
１０２  近距離無線通信部
１０６  不揮発性メモリ
１０８  操作部
１１４  記憶部
１１５  動きセンサ
２００  生体センサ（外部機器）
２５０  カメラ（外部機器）
【図１】
2016201750.tif 000003
【図２】
2016201750.tif 000004
【図３】
2016201750.tif 000005
【図４】
2016201750.tif 000006
【図５】
2016201750.tif 000007
【図６】
2016201750.tif 000008
【図７】
2016201750.tif 000009
【図８】
2016201750.tif 000010
【図９】
2016201750.tif 000011
【図１０】
2016201750.tif 000012